(57)【要約】      （修正有）【課題】旗類の出し入れが作動ミスなく円滑かつ確実に行えるとともに旗類自体が長期使用による損傷を受けにくく、さらに、全体構造を簡略化して安価にできる片持式旗類掲納装置を提供する。【解決手段】取付対象個所に固定される取付ブラケット３と、この取付ブラケット３の前側に水平あるいは斜め持ち上げ状をなして突設されるとともにその周部底面に出入り口２１が形成されている筒状のケーシング２０と、このケーシング２０内に沿って回転自在に設けられその外周に旗類３０が巻取りおよび繰出し可能に設けられている巻軸２７と、この巻軸２７を往復回転可能とする回転駆動手段９とからなる。【選択図】図２
0003220746.tif 000002
【実用新案登録請求の範囲】
【請求項１】
取付対象個所に固定される取付ブラケットと、この取付ブラケットの前側に水平あるいは斜め持ち上げ状をなして突設されるとともにその周部底面に出入り口が形成されている筒状のケーシングと、このケーシング内に沿って回転自在に設けられその外周に旗類が巻取りおよび繰出し可能に設けられている巻軸と、この巻軸を往復回転可能とする回転駆動手段とからなる片持式旗類掲納装置。
【請求項２】
請求項１に記載のものにおいて、回転駆動手段は巻軸内に装備されている片持式旗類掲納装置。
【考案の詳細な説明】
【技術分野】
【０００１】  本考案は、片持式旗類掲納装置に関する。
【背景技術】
【０００２】  例えば、市街地ビルの前面壁などには、取付ブラケットを介して斜め上向きに支持アームを片持式に突設し、その支持アームから紐などを介して国旗・イベント表示などの標章をあらわした旗類を吊下げバナー（垂れ幕）などとしてぶら下げ標示して市街地環境を美的に保つようにしているところがある。こうした場合の旗類は支持アームに昼夜を問わず常にぶら下げられたままの形とされるのが恒例とされてきたため雨風・外気温度などの自然現象を直接受けることになって早期に傷むことから早目の交換が必要となっていた。そのことから旗類の自然現象による経時的損傷等をなくすため、特許公報１に示すように旗類を掲揚時以外においてケーシング内に巻取り収納可能にして安全保護し得るようにしたものがある。
【先行技術文献】
【特許文献】
【０００３】
【特許文献１】米国特許第４３３２２１０号
【考案の概要】
【考案が解決しようとする課題】
【０００４】  特許公報１に示すものは、自動的に旗の巻き上げと巻き出しを行う装置であって、外周にらせん状部を備えたローラーをケーシング内に正逆駆動可能に備えるとともに、基端をケーシング内に取り付けた旗をローラー周りを経由してケーシングの開口より下向きに取出すようにし、その内部ローラーを一方向に駆動すればケーシング内に巻き上げられていた旗が巻き出され、他方向に駆動すれば垂れ下がった状態の旗をローラー外周のらせん状部が摩擦力でもって回転駆動してケーシング内の空間に巻き上げ収納するようになって保護が図られるようになっているものである。
ところで、この自動装置は、ローラー外周のらせん状部による旗への押圧摩擦力によって往復駆動させることでケーシングに対しローラー回りでなくケーシング内に繰り入れしまたケーシング外に繰り出すように構成してあるので、ローラー（らせん状部）は旗に対して押圧摩擦力を多数回繰り返すことになる結果ローラー表面および駆動される旗自身が損耗して旗が滑ったり、繰り入れ・繰り出しが円滑かつ確実になされなくなるおそれがある。さらに、ローラーがらせん状部付きで特別な構成である他に、それを包むケーシング２３が曲げ舌状部分や肩部２７およびスロット４１等を内周に一体形成した特殊構造のものにしなければならず、構造が複雑であることからコスト高になるなど製造面での問題もある。【０００５】  本考案は、こうした問題を解決しようとするものであり、旗類の出し入れが作動ミスなく円滑かつ確実に行えるとともに旗類自体が長期使用による損傷を受けにくくさらに全体構造が簡略化して安価に提供できるようにした片持式旗類掲納装置を提供することを目的とする。
【課題を解決するための手段】
【０００６】  本考案は上記目的を達成するため、請求項１に記載の考案は、取付対象個所に固定される取付ブラケットと、この取付ブラケットの前側に水平あるいは斜め持ち上げ状をなして突設されるとともにその周部底面に出入り口が形成されている筒状のケーシングと、このケーシング内に沿って回転自在に設けられその外周に旗類が巻取りおよび繰出し可能に設けられている巻軸と、この巻軸を往復回転可能とする回転駆動手段とからなる。旗類とは国旗・校旗・団体標章旗・店舗標章旗・イベント標章旗など表示内容を問わず広くその対象とし、また旗類の生地も薄く巻取りや繰出しの可能な布や樹脂など薄地材であってその形態も矩形に限定されず三角形などでもよい。
請求項２に記載の考案は、請求項１に記載のものにおいて、回転駆動手段は巻軸内に装備されている。
【考案の効果】
【０００７】  上述したように請求項１に記載の考案は、取付対象個所に固定される取付ブラケットと、この取付ブラケットの前側に水平あるいは斜め持ち上げ状をなして突設されるとともにその周部底面に出入り口が形成されている筒状のケーシングと、このケーシング内に沿って回転自在に設けられその外周に旗類が巻取りおよび繰出し可能に設けられている巻軸と、この巻軸を往復回転可能とする回転駆動手段とからなるので、旗類の出し入れが作動ミスなく円滑かつ確実に行えるとともに旗類自体が長期使用による損傷を受けにくくさらに全体構造が簡略化して安価に提供できるようにした片持式旗類掲納装置を提供することができる。
【図面の簡単な説明】
【０００８】
【図１】  本考案の一実施形態を図２のＩ−Ｉ線に沿って示す平面図。
【図２】  図１のＩＩ−ＩＩ線に沿う側面図。
【図３】  図２のＩＩＩ−ＩＩＩ線断面図。
【図４】  図２のＩＶ−ＩＶ線断面図。
【図５】  他の実施形態を示す横断面図。
【図６】  他の実施形態を示す断面図。
【図７】  他の実施形態を示す側面図。
【図８】  図７の中央縦断面図。
【図９】  図８のＩＸ−ＩＸ線断面図。
【考案を実施するための形態】
【０００９】  以下、本考案である片持式旗類掲納装置の一実施形態を図１ないし図４に基づいて説明する。
これらの図において、１は取付対象個所である外壁で、その高いところには、外壁１に止着具２を介して固定される取付ブラケット３が設けられている。この取付ブラケット３は、矩形をした基板５と、同基板５の上下位置から共に水平板状をなして突設された受板６，６とでなる。
【００１０】  ８は基部筒で、図４と同じ断面形状とされ、即ち、上半分が半円状で下半分が左右一対の対向する板状を備えた逆Ｕ字形断面の金属あるいは樹脂一体成形品となっている。基部筒８には底板が設けられてして内部の減速機付きモーターである駆動手段９が防水仕様となるように構成されている。また、この基部筒８の先端側には直交して逆Ｕ字状の先端板１０が取り付けられている一方、基端部は、基部筒８が水平線に対し図２のように１５度程度持ち上がり状となるように斜め切りした形になってその基端部には同じ逆Ｕ字形をなす基端板１１が一体固着されている。
【００１１】  この基部筒８の基端部は、図２の仮想線のように、基部筒８が水平軸状とされる場合には基部筒８の中心軸を直角にカットしたような形とされる。基端板１１には中心が上下を向くようにして縦筒１２が設けられ、その縦筒１２は前記受板６，６を通じて通された支持軸１３を介して取付け支持されている。１５はレバーで、縦筒１２から突設されており、このレバー１５には受板６を通じて通された角度ロックピン１６により固定されるようになっている。
【００１２】  ロックピン１６を例えば、ビル側の窓口から乗り出し操作で抜けば図１のように装置を外壁１に平行なところまでもってくることができ、そしてその場で国旗を取り替えたり種々メンテナンスを行うことができる。メンテナンス後、図１の実線のように戻してロックピン１６を差し込めば元の掲納可能な状態を得ることができる。装置は縦軸である支持軸１３回りに回転されるので、メンテナンスも安定してできる。
【００１３】  ２０はケーシングで、その本体２０ａが、金属板あるいは樹脂板などにより図３のような逆Ｕ字形に形成されている。このケーシング２０の周部底面には、幅が８〜１０ｃｍ程度の幅広スリット状をした出入り口２１が前後に長くなるように形成されており、その幅方向内側に添って旗の損傷を防止する円筒状保護部材２２，２２が突設されている。
【００１４】  この保護部材２２は、金属や樹脂パイプあるいはゴムチューブなどが使用されてケーシング２０の本体下端エッジで旗が損傷しないようにしてある。この保護部材２２は図３の右欄に示すように旗向きにエアーを噴出するエアー噴出口２３付きのものにして旗が積極的に靡くようにすることがある。
【００１５】  ケーシング２０の前後端には、前端板２５と後端板２６が設けられていてこれらの板２５，２６に細い端部軸を回転自在に嵌め込む形にしてストレートな丸パイプ製の巻軸２７がケーシング２０中央において往復回転するように設けられている。後端板２６は前記先端板１０に脱着可能に接続されている。
【００１６】  巻軸２７の後端部には、前記駆動手段９が連動自在に連結されている一方、先端板２５の前側には国旗に必要とされる金球２８が装着されている。また、巻軸２７の外周に相当するケーシング２０内には、アセテート製の標章表示薄地材である旗類（国旗）３０の幅Ｗより少し長くした間隔をもって対向するようにして前後２枚のスラスト板である端寄せ板３１，３１が取り付けられている。端寄せ板３１には巻軸２７よりも少し大きめの穴が開けられていてその穴内で巻軸２７が回転し得るようになっている。出入り口２１は、本体２０ａの全長に及ぶ長いものになっているが、実質的にはこれら端寄せ板３１，３１間に相当する部分になっている。
【００１７】  端寄せ板３１は、図４にも示すように、ケーシング本体２０ａ内に合致するような逆Ｕ字形板で形成され、旗類３０が巻き取られる際にその外壁１側の縁部３０ａが矢印Ｘ側にずれこまないように規制するものになっている。縁部３０ａのずれこみを軽減するため、端寄せ板３１の下部を仮想線のように垂直面状あるいは湾曲面状のガイド面３１ａとすることもある。端寄せ板３１の下端は図４の右欄のように角張ったままにしておくとその個所を通過する旗類３０を傷みやすくすることになるが、その下端に丸筒あるいは丸軸状をした寄せガイド部材３２を設けておくことで損傷を軽減あるいはなくすことができるようになる。この寄せガイド部材３２は回転自在なローラータイプであると旗類３０の端縁部の損傷を殆どなくすことができるようになる。端寄せ板３１は、図４のケーシング２０内に仮想線で示すように、円板型にして巻軸２７とともに回転し得るようにしてもよい。
【００１８】  前記旗類３０の基部上端は、巻軸２７の外周に線状をなして取り付けられている。
前記ケーシング２０および巻軸２７の水平線に対する持ち上げ角は、１５度よりも緩く５度ないし８度とすることもあり、この場合、旗類３０を巻き入れる際巻軸２７の同じ周部に重なり状に巻入れられる。
【００１９】  図３のエアー噴出口２３は、靡かせるためにエアーを噴出させて使う他に、旗類３０を巻き入れる際にも噴出させて旗類３０を傾斜方向にずれさせず巻入れるために使うことがある。その際の噴出方向が問題となるが、図２に示すように旗類３０の長手に沿うＡ方向あるいは旗類３０の面内に振った斜め角度に向くＢ方向とすれば巻ずれなく巻き入れることができる。
また、旗類３０は、図２に示すような斜め垂下状態から巻き取れば巻軸２７の下がり傾斜する方向にずれてゆくのが通常であるが、出入り口２１の縁部３０ａが通る個所に縁寄せガイドプレート３３を設けてもよい。このガイドプレート３３は、ケーシング２０の出入り口２１に対応する個所に設けたり端寄せ板３１の下端に対応する個所から突設してもよい。
【００２０】  旗類３０は、図３に示すように、出入り口２１の一方に偏って出入りするようになっているが、ケーシング２０内にガイドローラー３４あるいはガイド軸を配して出入り口２１の略中央を通じて出入りするようにしてもよい。
【００２１】  また、ケーシング２０の下部は、図３および図４のように、平行で対向する板面とされ両保護部材２２，２２の内側間隔が巻軸２７に巻き入れた状態の旗類３０の直径Ｄよりも少し大きくしてケーシング２０内に出し入れしやすく構成してあったが、図５に示すように、下向きに窄まる馬蹄形をした板面にしてもよい。この窄まる形としたケーシング２０であっても下部板面を拡縮操作することでケーシング２０に旗類３０を巻いた巻軸２７を組み立てあるいはメンテナンスのために出し入れできるようになる。
【００２２】  さらに、前記巻軸２７と駆動手段９とは軸上の異なる位置に設けられていたが、図６に示すように、巻軸２７に駆動手段９を一体内装したタイプのものにしてもよい。
また、装置は、図１のように、左右から牽張部材３６により引張保持するようにしてもよい。
さらに、ロックピン１６を抜いたあとは装置を左あるいは右にスイングさせて窓側に引き寄せたりまた元の前出状態に戻す操作が必要となるが、そのため、ケーシング２０の外周には、押し引き操作竿３７を係止突起３８を突設しておいてもよい。
また、図２に示すように、旗類３０の下縁部にはウエイトを兼ねる巻き終わり用磁石４０を設けていて旗類３０がケーシング２０に巻き付いたりしないようにすることができるだけでなく、巻軸２７に備えた巻き終わり用リミットスイッチ４１との組み合わせにおいて旗類３０が巻き終わる終点で巻き取り停止連動したりするのに利用されるようにしてもよい。一方、４２は繰出し終わり用磁石、４３は繰出し終わり用リミットスイッチであり、旗類３０が繰出されてその終点において磁石４２がスイッチ４３から離反することで繰出し時点を認識するようにしたものである。
さらに、旗類３０の縁部３０ａには細いバンド４４，４４を縫い込んでおいて旗類３が確実に巻き取られるようにしてもよい。
【００２３】  図７ないし図９は片持式旗類掲納装置についての他の実施形態を示す。図７は同装置の側方からみた外観図、図８はその全体を断面にして示す側面図、図９は図８のＩＸ−ＩＸ線断面図である。
【００２４】  ５０はビルなど建物の表外壁、５１は表外壁５０の水平向きの挿通孔である。５３は矩形をした取付ブラケットで、このブラケット５３は、表外壁５０の裏面に止着具ａ…により止め付けられている。この取付ブラケット５３の表側には、円筒形をしたケーシング５５が設けられている。ケーシング５５の基部端は取付ブラケット５３の表側に溶接で固定される一方、ケーシング５５の先端には先端蓋板５６が固着されている。ケーシング５５の先側半分長さの底側には、図９のように半周部分が切欠き状とされてその部分が出入り口５７となっている。出入り口５７は旗類６０の幅８００ｍｍに対してその前後に６０ｍｍずつ余り幅が残すような９２０ｍｍの前後幅となっている。ケーシング５５の基部内には、フランジ６２付き固定パイプ６３がケーシング５５と同心状をなして挿通され、止着具ａによりフランジ６２を止め付けることで取付ブラケット５３側に固定されている。
【００２５】  固定パイプ６３の内部には、ブッシュ６５やセットカラー６６などを介して巻軸６８の基部が回転自在に支持されている。６９はギアモーターである駆動手段、７０は取付フレーム、７１はカップリングである。駆動手段６９は制御盤による制御で例えば、午前中の一定時間に繰出しのための回転制御をされ午後夕刻に巻取りのための回転制御をされる。降雨のときは巻取り状態に支持される。
前記巻軸６８は、丸パイプ製で、その先端は先端軸受７３で回転自在に支持されているとともに、その外周２個所には、円板型の幅寄せプレート７５，７５が固定されている。同プレート７５は、出入り口５７の前後端位置に対応し、その外周に離れた孔同士を通じて支持軸７６が通されるとともにその支持軸７６の外周には回転パイプ７７が外装されている。前記巻軸６８の外周には旗類６０の基端縁が取り付けられ、図９の実線矢印のように巻軸６８と回転パイプ７７の２本のパイプがつくる外周に巻取られる一方、破線矢印のように逆回転されることで繰り出されるようになっている。
【符号の説明】
【００２６】  １…外壁  ３…取付ブラケット  ９…駆動手段  ２０…ケーシング  ２１…出入り口  ２７…巻軸  ３０…旗類。
【図１】
0003220746.tif 000003
【図２】
0003220746.tif 000004
【図３】
0003220746.tif 000005
【図４】
0003220746.tif 000006
【図５】
0003220746.tif 000007
【図６】
0003220746.tif 000008
【図７】
0003220746.tif 000009
【図８】
0003220746.tif 000010
【図９】
0003220746.tif 000011
【手続補正書】
【提出日】平成31年1月16日(2019.1.16)
【手続補正１】
【補正対象書類名】実用新案登録請求の範囲
【補正対象項目名】全文
【補正方法】変更
【補正の内容】
【実用新案登録請求の範囲】
【請求項１】
取付対象個所に固定される取付ブラケットと、この取付ブラケットの前側に水平あるいは斜め持ち上げ状をなして突設されるとともにその周部底面に出入り口が形成されている筒状のケーシングと、このケーシング内に沿って回転自在に設けられその外周に旗類が巻取りおよび繰出し可能に設けられている巻軸と、この巻軸を往復回転可能とする回転駆動手段とからなる片持式旗類掲納装置。
【請求項２】
請求項１に記載の片持式旗類掲納装置において、回転駆動手段は巻軸内に装備されている片持式旗類掲納装置。